(57)【要約】【課題】  送信されてくるデータに対して、出力側の条件設定と出力側からの情報により正確な出力制限をかけることが可能となる等の効果が得る事。【解決手段】  データ解析部として、『データ受信手段』、『データ解析手段』、『制御内容記憶手段』を、設定登録部として、『出力設定手段（プリンタ等への設定）』を、判断部として、『出力部からの情報受信手段』、『設定との比較手段』、『カウンタ制御手段』と『不正防止機能』を、出力部（プリンタを例とする場合）として、『メディア検知手段』、『設定検知手段』、『出力結果検知手段』、送受信手段は、『データ受信手段』、『データ送信手段』、記憶手段は、『性能情報』、『データ保存手段』を搭載し、データや設定等を保存又は一時保管する手段として、「記憶手段」を搭載する。【選択図】  図１
2006163978.tif 000002
【特許請求の範囲】
【請求項１】
送信されてくるデータに対して、出力先への設定条件及び又は出力側の設定条件及び又は出力メディアにより制限することを特徴とする印刷制限システム。
【請求項２】
印刷モードに応じたカウンタとカウンタ処理を有することを特徴とする請求項1に記載の印刷制限システム。
【請求項３】
印刷結果によるカウンタ制御を有することを特徴とする請求項1に記載の印刷制限システム。
【請求項４】
残り枚数の印刷か可能かの情報を表示することを特徴とする請求項1に記載の印刷制限システム。
【発明の詳細な説明】
【技術分野】
【０００１】
本発明は、送信されてくるデータに対して、出力先への設定条件及び又は出力側の設定条件及び又は出力メディアにより制限することを特徴とする印刷制限に関するものである。
【背景技術】
【０００２】
従来、例えばDTV等から送信されてくる放送データに対して、出力制限がある場合において、出力回数で制限することが可能であった。また、ユーザーが設定した出力側の設定条件で、回数を制限することが可能であった。
【発明の開示】
【発明が解決しようとする課題】
【０００３】
しかしながら、上記従来技術では、実際の出力側の性能（高品位や標準等）や出力メディアの品質や種類（光沢紙や普通紙又はシール紙やＣＤ等）や出力結果（正常終了やエラー）等によって、出力回数を制限することはできなかった。
【０００４】
本発明は、送信されてくるデータに対して、出力先への設定条件や出力側の性能やメディアの品質や種類や出力結果によって、出力制限を制御することを可能とする発明である。
【０００５】
例えば、高品位画質で光沢紙に印刷するのは、１枚のみと制限することや、標準画質で、普通紙には、１０枚印刷可能と制限することや、Ａ４用紙には１枚、Ａ５用紙だと、１０枚と許可することも可能となる。又さらに、出力メディアの種類、つまり、ＣＤに直接印刷するのは、１枚のみ等の制御を行うことも可能となる。
【０００６】
つまり、出力側の実際の性能と実際に設定した設定値や出力先メディアを出力側からフィードバックすることにより、出力制限を間違いなく行うことが可能となる。更に、出力側との双方向通信により、正常終了した場合のみ回数を減らす等も可能となる。
【０００７】
このように、本発明は、DTV等のように送信されてくる放送データに対して、出力側の条件設定と出力側からの情報により正確な出力制限をかけることが可能となるシステムである。
【０００８】
このことにより、上記問題を解決することを目的としている。
【課題を解決するための手段】
【０００９】
そこで、本発明では、データ解析部として、データ受信手段、データ解析手段、制御内容記憶手段設定登録部として、出力設定手段（プリンタ等への設定）判断部として、出力部からの情報受信手段、設定との比較手段、カウンタ制御手段・不正防止機能出力部（プリンタを例）として、検知手段は、メディア検知手段、設定検知手段、出力結果検知手段送受信手段は、データ受信手段、データ送信手段記憶手段は、性能情報、データ保存手段等が考えられる。
【００１０】
これらを搭載し、更にデータや設定等を保存又は一時保管する手段として、記憶手段を搭載することも可能である。
【発明の効果】
【００１１】
従来、送信されてくるデータに対して、出力制限がある場合において、出力回数で制限することが可能であった。また、ユーザーが設定した出力側の設定条件で、回数を制限することが可能であった。
【００１２】
しかしながら、上記従来技術では、実際の出力側の性能（高品位や標準等）や出力メディアの品質や種類（光沢紙や普通紙又はシール紙やＣＤ等）や出力結果（正常終了やエラー）等によって、出力回数を制限することはできなかった。
【００１３】
本発明は、DTV等から送信されてくる放送データに対して、出力側の性能やメディアの品質や種類や出力結果によって、出力制限を制御することを可能とする発明である。
【００１４】
例えば、高品位画質で光沢紙に印刷するのは、１枚のみと制限することや、標準画質で、普通紙には、１０枚印刷可能と制限することや、Ａ４用紙には１枚、Ａ５用紙だと、１０枚と許可することも可能となる。又さらに、出力メディアの種類、つまり、ＣＤに直接印刷するのは、１枚のみ等の制御を行うことも可能となる。
【００１５】
つまり、出力側の実際の性能と実際に設定した設定値や出力先メディアを出力側からフィードバックすることにより、出力制限を間違いなく行うことが可能となる。更に、出力側との双方向通信により、正常終了した場合のみ回数を減らす等も可能となる。
【００１６】
このように、本発明は、送信されてくるデータに対して、出力側の条件設定と出力側からの情報により正確な出力制限をかけることが可能となる等の効果が得られる。
【発明を実施するための最良の形態】
【００１７】
図1に、本発明の構成図を示す。
【００１８】
本発明のプログラムはROMに入っている。ROMからプログラムを呼び出し、作業を行う。
【００１９】
データ解析部として、『データ受信手段』、『データ解析手段』、解析結果から、出力への設定値が与えられている場合は、その内容を記憶する為に『制御内容記憶手段』を、設定登録部として、『出力設定手段（プリンタ等への設定）』を、判断部として、出力側からどういう機器であるかどういう性能があるかの情報を得る為の、『出力部からの情報受信手段』、実際の設定値と出力側との性能を比較する為の、『設定との比較手段』、出力結果からの実際に出力された設定値での印刷制御枚数を印刷した枚数だけカウントダウンする『カウンタ制御手段』と、不正にカウント数を変更できないようにする『不正防止機能』を、出力部（プリンタを例とする場合）として、検知手段は、どういう紙が挿入されているか又は設定されているか等を検知する『メディア検知手段』、プリンタへの実際の設定を検知する『設定検知手段』、印刷が正常終了したかエラーしたかを検知する『出力結果検知手段』、送受信手段は、『データ受信手段』、『データ送信手段』、記憶手段は、本体の性能を記憶してある『性能情報』、『データ保存手段』を搭載し、データや設定等を保存又は一時保管する手段として、「記憶手段」を搭載する。また、これら以外にも、制御に必要と考えられる情報を送受信する手段を持ってもかまわない。これにより、送信されてくる放送データに対して、出力側の条件設定と出力側からの情報により正確な出力制限をかけることが可能となる。
【００２０】
実施例についてはフローチャートを用いて説明する。
【００２１】
図２に本発明の概略フローチャート(データ解析からデータ生成の概要フローチャート)を示す。
【００２２】
以下に、画像データをプリンタへ出力する例をあげ説明する。
【００２３】
まず、データ取得・解析（制限等）の処理(2-1)より、どのようなデータであるかを解析する。ここでは、１６００＊１２００の画像データであったとする。このデータには、多くの印刷制限が設定されていることが解析によりわかる。印刷設定サイズにより印刷制限があったとする。例えば、図３−（１）に示すように、Ａ３サイズで印刷する場合は、1枚のみ。Ａ４サイズは、１０枚、Ａ５サイズは１００枚の制限があったとする。これらの解析が行われた後、出力先確認処理(2-2)が行われる。ここで、Ａ４サイズのプリンタであった場合は、Ａ３の設定を行ってもエラーが戻り、カウンタ数を間違って消さないようにすることが可能となる。次に、出力設定処理(2-3)を行う。この処理で、実際に出力側（プリンタ）へ設定を行う。この設定を行った後、出力先からの回答待ち(2-4)を行う。ここで、実際に、設定された状態と、挿入されたメディア品質と種類等の検知が行われ、出力側から回答がくるまで、待つ。回答がきた後、制限内で処理が行えるか(2-5)の判断が行われる。これは、制限の枚数がまだ残っているかや出力側の性能により例えば高画質印刷ができな場合等の判断を行うことが可能となる。ここで、行えないと判断された場合は、また、出力設定処理（2-4）を行うことが可能である。
【００２４】
これらの処理を行った後、印刷可能と判断された場合は、印刷処理(2-6)を行う。そして、出力先の結果(2-7)をまち、正常終了した場合は、正常終了処理(2-8-1)として、設定条件にあった印刷制限枚数のカウント数を印刷枚数分減らす等の処理を行う。またここで、何かの原因によりエラーを起こした場合は、エラー処理(2-8-2)として、カウント数を減らさない、また、エラー内容を送信する等の処理を行う。
【００２５】
図２では、例として、いろいろな種類の処理をあげたが、これらの処理の順番が逆でも、その他の処理を加えても、減らしてエラーを出すだけにしてもかまわないのとする。
【００２６】
図３には、印刷制限例１〜３を示す。
【００２７】
図３−（１）は印刷サイズによって印刷制限（印刷できる枚数）が設定されている例である。
【００２８】
図３−（２）印刷する出力メディア（紙）によって印刷制限が設定されている例である。
【００２９】
図３−（３）は設定画像品位、メディアの品質と種類によって印刷制限（印刷できる枚数）が設定されている例である。また更に、図３−（３）には、ＣＤメディアの例として、プリンタブルＣＤを上げた。
【００３０】
その中でも、高画質用と標準画質用があった場合に、その検知ができれば、設定枚数制御が可能となる。
【００３１】
また、印刷制限が、低画質に下げる場合には、カウンタの数を変更する機能、例えば、高画質１枚を標準画質１０枚に変更する。又は、高画質で普通紙印刷１０枚をＣＤのプリンタブル印刷の１枚に変更する等もカウンタを別々に持つことにより、可能となる。
【００３２】
つまり、図３にあげたように、実際に出力する解像度やサイズ、メディアの品質やメディアの種類によって印刷枚数に制限をかけることが可能となる。更に、本発明では、出力側と双方向通信を行うことにより、実際の印刷結果で正確に制御することも可能となる。
【００３３】
図４に双方向データ通信の例(データ取得・解析から印刷終了の流れの例)を示す。
【００３４】
この図では、本発明(制御部とする)がデータを受信し、プリンタへ印刷する例で説明を行う。
【００３５】
まず、データを受信した後、データの解析を行う。解析内容としては、データ情報（画素数・サイズ等）や、どういう設定をした場合には、印刷枚数を何枚に制限するか等を設定した、印刷設定値、印刷のカウンタ情報として、パターン毎の制限枚数等の解析を行う。
【００３６】
次に、制御部とプリンタとの双方向を説明する。プリンタ側より、(A)出力側情報をうけとる。
【００３７】
これにより、どのようなプリンタが接続されているかを把握することが可能となる。次に、（１）印刷条件の設定を行い、（２）設定が完了した及び検知した情報を受け取る。その後このままで問題なければ（３）印刷開始命令を出し、プリンタからの（４）正常終了がきたら、（５）カウンタ数を減らす処理を行う。
【００３８】
この図では、正常に終わった例をあげたが、問題があった場合等は、もっと複雑な情報交換が行われる。また、プリンタによってメディア検知等がない場合、制御側で設定した内容でカウント制御を行うことも可能である。
【００３９】
また、実際は高画質で印刷しているにもかかわらず、低画質で印刷したかのようにカウンタを制御することができないよう、残りカウンタ数の不正書き込みを防止する機能を持つことも可能である。
【図面の簡単な説明】
【００４０】
【図１】本発明の構成図
【図２】本発明による概略フローチャート（データ解析からカウント処理の概要フローチャート）
【図３】（１）は印刷制限例1（出力サイズによる印刷制限）、（２）は印刷制限例２（出力メディア（紙）による印刷制限）、（３）は印刷制限例３（設定画像品位・メディアの品質と種類における印刷制限）
【図４】双方向データ通信例(データ取得・解析から印刷終了の流れの例)
【図１】
2006163978.tif 000003
【図２】
2006163978.tif 000004
【図３】
2006163978.tif 000005
【図４】
2006163978.tif 000006